(57)【要約】【課題】  例えば、無線装置の周囲温度が変化しても、無線装置の異常の有無を正確に判定することができる異常検知装置を得ることを目的とする。【解決手段】  分配器３により分配されたＩＦ帯域信号の電力を調整し、そのＩＦ帯域信号の電力を電圧に変換する帯域信号電圧抽出器４と、分配器３により分配されたＩＦ帯域信号に重畳されている歪み信号を抽出し、その歪み信号の電力を調整して電圧に変換する歪み信号電圧抽出器５とを設け、そのＩＦ帯域信号の電圧と歪み信号の電圧とを比較して異常を検知する。【選択図】        図１
2005151348.tif 000002
【特許請求の範囲】
【請求項１】
任意の周波数帯における帯域信号を分配する分配手段と、上記分配手段により分配された一方の帯域信号の電力を調整する帯域信号調整手段と、上記分配手段により分配された他方の帯域信号に重畳されている歪み信号を抽出する歪み信号抽出手段と、上記歪み信号抽出手段により抽出された歪み信号の電力を調整する歪み信号調整手段と、上記帯域信号調整手段による調整後の電力と上記歪み信号調整手段による調整後の電力を比較して異常を検知する異常検知手段とを備えた異常検知装置。
【請求項２】
異常検知手段は、帯域信号調整手段による調整後の電力が歪み信号調整手段による調整後の電力より大きければ、正常であると判定し、上記帯域信号調整手段による調整後の電力が上記歪み信号調整手段による調整後の電力より小さければ、異常であると判定することを特徴とする請求項１記載の異常検知装置。
【請求項３】
任意の周波数帯における帯域信号を分配する分配手段と、上記分配手段により分配された一方の帯域信号の電力を調整し、調整後の電力を電圧に変換する帯域信号調整手段と、上記分配手段により分配された他方の帯域信号に重畳されている歪み信号を抽出する歪み信号抽出手段と、上記歪み信号抽出手段により抽出された歪み信号の電力を調整し、調整後の電力を電圧に変換する歪み信号調整手段と、上記帯域信号調整手段により変換された電圧と上記歪み信号調整手段により変換された電圧を比較して異常を検知する異常検知手段とを備えた異常検知装置。
【請求項４】
異常検知手段は、帯域信号調整手段により変換された電圧が歪み信号調整手段により変換された電圧より大きければ、正常であると判定し、上記帯域信号調整手段により変換された電圧が上記歪み信号調整手段により変換された電圧より小さければ、異常であると判定することを特徴とする請求項３記載の異常検知装置。
【請求項５】
帯域信号調整手段及び歪み信号調整手段による電力の調整率を設定する設定手段を設けたことを特徴とする請求項１から請求項４のうちのいずれか１項記載の異常検知装置。
【発明の詳細な説明】
【技術分野】
【０００１】
この発明は、任意の周波数帯における帯域信号に重畳されている歪み信号（非線形歪や雑音の成分）を検知して、例えば、無線装置の異常の有無を判定する異常検知装置に関するものである。
【背景技術】
【０００２】
従来の異常検知装置は、送信信号に重畳されている歪波を抽出する送信帯域フィルタと、受信信号に重畳されている歪波を抽出する受信帯域フィルタとを設け、その送信帯域フィルタにより抽出された歪波の信号レベル、または、その受信帯域フィルタにより抽出された歪波の信号レベルが基準レベルを超えると、アラーム信号を発生するようにしている（例えば、特許文献１参照）。
【０００３】
【特許文献１】特開２０００−１３３０７号公報（段落番号［００１８］から［００２０］、図２）
【発明の開示】
【発明が解決しようとする課題】
【０００４】
従来の異常検知装置は以上のように構成されているので、無線装置の使用環境が常に一定であれば、無線装置の異常の有無を正確に判定することができる。しかし、例えば、無線装置の周囲温度が変化すると、デバイスの温度特性等により、送信信号や受信信号の信号レベルが変化するため、送信信号や受信信号に重畳されている歪波の信号レベルを常に一定の基準レベルと比較しても、無線装置の異常の有無を正確に判定することができなくなるなどの課題があった。
【０００５】
この発明は上記のような課題を解決するためになされたもので、例えば、無線装置の周囲温度が変化しても、無線装置の異常の有無を正確に判定することができる異常検知装置を得ることを目的とする。
【課題を解決するための手段】
【０００６】
この発明に係る異常検知装置は、分配手段により分配された一方の帯域信号の電力を調整する帯域信号調整手段と、その分配手段により分配された他方の帯域信号に重畳されている歪み信号を抽出する歪み信号抽出手段と、その歪み信号抽出手段により抽出された歪み信号の電力を調整する歪み信号調整手段とを設け、その帯域信号調整手段による調整後の電力と歪み信号調整手段による調整後の電力を比較して異常を検知するようにしたものである。
【発明の効果】
【０００７】
この発明によれば、分配手段により分配された一方の帯域信号の電力を調整する帯域信号調整手段と、その分配手段により分配された他方の帯域信号に重畳されている歪み信号を抽出する歪み信号抽出手段と、その歪み信号抽出手段により抽出された歪み信号の電力を調整する歪み信号調整手段とを設け、その帯域信号調整手段による調整後の電力と歪み信号調整手段による調整後の電力を比較して異常を検知するように構成したので、例えば、無線装置の周囲温度が変化しても、無線装置の異常の有無を正確に判定することができる効果がある。
【発明を実施するための最良の形態】
【０００８】
実施の形態１．
図１はこの発明の実施の形態１による異常検知装置を示す構成図であり、図において、周波数変換器１は例えば無線装置の送信部（図示せず）のＲＦ帯域信号、または、無線装置のアンテナ（図示せず）により受信されたＲＦ帯域信号を入力し、そのＲＦ帯域信号の周波数を下げてＩＦ帯域信号を出力する。分配器２は周波数変換器１から出力されたＩＦ帯域信号を等電力分配する。
【０００９】
分配器３は分配器２により分配されたＩＦ帯域信号を更に等電力分配する。即ち、分配器３は帯域信号電圧抽出器４に与えるＩＦ帯域信号の電力と、歪み信号電圧抽出器５に与えるＩＦ帯域信号の電力とが等しくなるように、分配器２により分配されたＩＦ帯域信号を分配する分配手段を構成している。
帯域信号電圧抽出器４は分配器２により分配された一方のＩＦ帯域信号の電圧を検波し、歪み信号電圧抽出器５は分配器２により分配された他方のＩＦ帯域信号に重畳されている歪み信号（非線形歪や雑音の成分）の電圧を検波する。
【００１０】
帯域信号電圧抽出器４の増幅器６は分配器３により分配されたＩＦ帯域信号を一定の増幅率で電力増幅する。帯域信号電圧抽出器４の可変減衰器７は予め減衰率が設定され、増幅器６による電力増幅後のＩＦ帯域信号の電力を微調整する。帯域信号電圧抽出器４の検波器８は可変減衰器７による調整後のＩＦ帯域信号の電力を電圧に変換する。なお、増幅器６、可変減衰器７及び検波器８から帯域信号調整手段が構成されている。
【００１１】
歪み信号電圧抽出器５の帯域濾波器９は例えばバンドパスフィルタから構成され、分配器３により分配されたＩＦ帯域信号に重畳されている歪み信号を抽出する歪み信号抽出手段を構成している。
歪み信号電圧抽出器５の増幅器１０は帯域濾波器９により抽出された歪み信号を一定の増幅率で電力増幅する。歪み信号電圧抽出器５の可変減衰器１１は予め減衰率が設定され、増幅器１０による電力増幅後の歪み信号の電力を微調整する。歪み信号電圧抽出器５の検波器１２は可変減衰器１１による調整後の歪み信号の電力を電圧に変換する。なお、増幅器１０、可変減衰器１１及び検波器１２から歪み信号調整手段が構成されている。
【００１２】
電圧比較器１３は帯域信号電圧抽出器４の検波器８により変換されたＩＦ帯域信号の電圧が歪み信号電圧抽出器５の検波器１２により変換された歪み信号の電圧より大きければ、正常であると判定し、帯域信号電圧抽出器４の検波器８により変換されたＩＦ帯域信号の電圧が歪み信号電圧抽出器５の検波器１２により変換された歪み信号の電圧より小さければ、異常であると判定する異常検知手段を構成している。
【００１３】
次に動作について説明する。
周波数変換器１は、例えば無線装置の送信部（図示せず）のＲＦ帯域信号、または、無線装置のアンテナ（図示せず）により受信されたＲＦ帯域信号を入力すると、そのＲＦ帯域信号の周波数を下げてＩＦ帯域信号を分配器２に出力する。
分配器２は、周波数変換器１からＩＦ帯域信号を受けると、そのＩＦ帯域信号を等電力分配する。
即ち、分配器２は、例えば無線装置のアンテナ、または、無線装置の送信部に与えるＩＦ帯域信号の電力と、分配器３に与えるＩＦ帯域信号の電力とが等しくなるように、周波数変換器１から出力されたＩＦ帯域信号を分配する。ここでは、分配器２がＩＦ帯域信号を等電力分配しているが、周波数変換器１から出力されたＩＦ帯域信号の一部を帯域信号電圧抽出器４と歪み信号電圧抽出器５に与えることができればよく、必ずしも周波数変換器１から出力されたＩＦ帯域信号を等電力分配する必要はない。
【００１４】
分配器３は、分配器２により分配されたＩＦ帯域信号を受けると、そのＩＦ帯域信号を更に等電力分配する。
即ち、分配器３は、帯域信号電圧抽出器４に与えるＩＦ帯域信号の電力と、歪み信号電圧抽出器５に与えるＩＦ帯域信号の電力とが等しくなるように、分配器２により分配されたＩＦ帯域信号を分配する。
【００１５】
帯域信号電圧抽出器４は、分配器２により分配された一方のＩＦ帯域信号を受けると、そのＩＦ帯域信号の電圧を検波して電圧比較器１３に出力する。
帯域信号電圧抽出器４の具体的な処理内容は次の通りである。
【００１６】
帯域信号電圧抽出器４の増幅器６は、分配器３により分配されたＩＦ帯域信号を受けると、そのＩＦ帯域信号を一定の増幅率で電力増幅する。
帯域信号電圧抽出器４の可変減衰器７は、増幅器６による増幅後のＩＦ帯域信号の電力を予め設定された減衰率で微調整する。
帯域信号電圧抽出器４の検波器８は、可変減衰器７による調整後のＩＦ帯域信号の電力を電圧に変換し、ＩＦ帯域信号の電圧を電圧比較器１３に出力する。
【００１７】
一方、歪み信号電圧抽出器５は、分配器２により分配された他方のＩＦ帯域信号を受けると、そのＩＦ帯域信号に重畳されている歪み信号（非線形歪や雑音の成分）の電圧を検波して電圧比較器１３に出力する。
歪み信号電圧抽出器５の具体的な処理内容は次の通りである。
【００１８】
歪み信号電圧抽出器５の帯域濾波器９は、分配器３により分配された他方のＩＦ帯域信号を受けると、そのＩＦ帯域信号に重畳されている歪み信号を抽出する。
即ち、帯域濾波器９は、予め定められた広帯域のＩＦ帯域信号のうち、帯域外の規定周波数及び規定周波数帯域幅にて濾波することにより、そのＩＦ帯域信号に重畳されている歪み信号を抽出する。
歪み信号電圧抽出器５の増幅器１０は、帯域濾波器９が歪み信号を抽出すると、その歪み信号を一定の増幅率で電力増幅する。
歪み信号電圧抽出器５の可変減衰器１１は、増幅器１０による増幅後の歪み信号の電力を予め設定された減衰率で微調整する。
歪み信号電圧抽出器５の検波器１２は、可変減衰器１１による調整後の歪み信号の電力を電圧に変換し、歪み信号の電圧を電圧比較器１３に出力する。
【００１９】
ここで、帯域信号電圧抽出器４の可変減衰器７における減衰率と、歪み信号電圧抽出器５の可変減衰器１１における減衰率は、例えば、無線装置の使用者が所望の異常検出感度が得られるように設定する。
即ち、歪み信号が重畳している割合が比較的小さい場合でも、異常として検出することを希望する場合には、帯域信号電圧抽出器４の可変減衰器７における減衰率を大きく設定して、歪み信号電圧抽出器５の可変減衰器１１における減衰率を小さく設定する。
逆に、歪み信号が重畳している割合が比較的大きい場合でも、異常として検出しないことを希望する場合には、帯域信号電圧抽出器４の可変減衰器７における減衰率を小さく設定して、歪み信号電圧抽出器５の可変減衰器１１における減衰率を大きく設定する。
【００２０】
電圧比較器１３は、帯域信号電圧抽出器４の検波器８からＩＦ帯域信号の電圧を受け、歪み信号電圧抽出器５の検波器１２から歪み信号の電圧を受けると、そのＩＦ帯域信号の電圧と歪み信号の電圧とを比較して、無線装置の異常を検知する。
即ち、帯域信号電圧抽出器４の検波器８から出力されたＩＦ帯域信号の電圧が、歪み信号電圧抽出器５の検波器１２から出力された歪み信号の電圧より大きければ、無線装置は正常であると判定し、正常である旨を示す判定信号を出力する。
逆に、帯域信号電圧抽出器４の検波器８から出力されたＩＦ帯域信号の電圧が、歪み信号電圧抽出器５の検波器１２から出力された歪み信号の電圧より小さければ、無線装置は異常であると判定し、異常である旨を示す判定信号を出力する。
【００２１】
以上で明らかなように、この実施の形態１によれば、分配器３により分配されたＩＦ帯域信号の電力を調整し、そのＩＦ帯域信号の電力を電圧に変換する帯域信号電圧抽出器４と、分配器３により分配されたＩＦ帯域信号に重畳されている歪み信号を抽出し、その歪み信号の電力を調整して電圧に変換する歪み信号電圧抽出器５とを設け、そのＩＦ帯域信号の電圧と歪み信号の電圧とを比較して異常を検知するように構成したので、例えば、無線装置の周囲温度が変化しても、無線装置の異常の有無を正確に判定することができる効果を奏する。
即ち、例えば、無線装置の周囲温度が変化することにより、歪み信号の電圧レベルが変化しても、同様にＩＦ帯域信号の電圧レベルが変化するので、無線装置の周囲温度が変化しても、無線装置の異常の有無を正確に判定することができる。
【００２２】
なお、この実施の形態１では、帯域信号電圧抽出器４及び歪み信号電圧抽出器５が検波器８，１２を実装して、ＩＦ帯域信号及び歪み信号の電力を電圧に変換するものについて示したが、図２に示すように、検波器８，１２を削除するようにしてもよく、同様の効果を奏することができる。
ただし、この場合には、電圧比較器１３の代わりに、異常検知手段を構成する電力比較器１４を実装する必要がある。
【００２３】
電力比較器１４は、帯域信号電圧抽出器４の可変減衰器７からＩＦ帯域信号の電力を受け、歪み信号電圧抽出器５の可変減衰器１１から歪み信号の電力を受けると、そのＩＦ帯域信号の電力と歪み信号の電力とを比較して、無線装置の異常を検知する。
即ち、帯域信号電圧抽出器４の可変減衰器７から出力されたＩＦ帯域信号の電力が、歪み信号電圧抽出器５の可変減衰器１１から出力された歪み信号の電力より大きければ、無線装置は正常であると判定し、正常である旨を示す判定信号を出力する。
逆に、帯域信号電圧抽出器４の可変減衰器７から出力されたＩＦ帯域信号の電力が、歪み信号電圧抽出器５の可変減衰器１１から出力された歪み信号の電力より小さければ、無線装置は異常であると判定し、異常である旨を示す判定信号を出力する。
【００２４】
実施の形態２．
図３はこの発明の実施の形態２による異常検知装置を示す構成図であり、図において、図１と同一符号は同一または相当部分を示すので説明を省略する。
減衰率設定部１５は可変減衰器７，１１による電力の減衰率（調整率）を設定する設定手段を構成している。
【００２５】
上記実施の形態１では、予め減衰率が設定されている可変減衰器７，１１を実装するものについて示したが、外部の減衰率設定部１５を用いて、可変減衰器７，１１の減衰率を必要に応じて設定するようにしてもよい。
これにより、例えば、無線装置の使用者が使用状況に応じて、ＩＦ帯域信号の電力と、歪み信号の電力との比を自由に設定して、異常検出感度を変更することができる効果を奏する。
【００２６】
この実施の形態２では、図１の異常検知装置に減衰率設定部１５を搭載するものについて示したが、図４に示すように、図２の異常検知装置に減衰率設定部１５を搭載するようにしてもよく同様の効果を奏することができる。
【００２７】
実施の形態３．
上記実施の形態１，２では、周波数変換器１がＲＦ帯域信号を入力し、そのＲＦ帯域信号の周波数を下げてＩＦ帯域信号を分配器２に出力するものについて示したが、図５及び図６に示すように、周波数変換器１がＩＦ帯域信号を入力し、そのＩＦ帯域信号の周波数を上げてＲＦ帯域信号を分配器２に出力するようにしてもよい。
【００２８】
実施の形態４．
上記実施の形態１〜３では、歪み信号電圧抽出器５の帯域濾波器９が分配器３により分配されたＩＦ帯域信号に重畳されている歪み信号を抽出するものについて示したが、帯域濾波器９が濾波する周波数や周波数帯域幅を外部から変更できるようにしてもよい。
これにより、ＩＦ帯域信号に重畳されている歪み信号の周波数が変化する場合でも、異常を検知することができる効果を奏する。
【図面の簡単な説明】
【００２９】
【図１】この発明の実施の形態１による異常検知装置を示す構成図である。
【図２】この発明の実施の形態１による異常検知装置を示す構成図である。
【図３】この発明の実施の形態２による異常検知装置を示す構成図である。
【図４】この発明の実施の形態２による異常検知装置を示す構成図である。
【図５】この発明の実施の形態３による異常検知装置を示す構成図である。
【図６】この発明の実施の形態３による異常検知装置を示す構成図である。
【符号の説明】
【００３０】
１  周波数変換器、２  分配器、３  分配器（分配手段）、４  帯域信号電圧抽出器、５  歪み信号電圧抽出器、６  増幅器（帯域信号調整手段）、７  可変減衰器（帯域信号調整手段）、８  検波器（帯域信号調整手段）、９  帯域濾波器（歪み信号抽出手段）、１０  増幅器（歪み信号調整手段）、１１  可変減衰器（歪み信号調整手段）、１２  検波器（歪み信号調整手段）、１３  電圧比較器（異常検知手段）、１４  電力比較器（異常検知手段）、１５  減衰率設定部（設定手段）。
【図１】
2005151348.tif 000003
【図２】
2005151348.tif 000004
【図３】
2005151348.tif 000005
【図４】
2005151348.tif 000006
【図５】
2005151348.tif 000007
【図６】
2005151348.tif 000008